(57)【要約】【課題】独立したサーバを構築することなく、ネットワークを介して接続されたコンテンツ格納装置の記憶部を有効活用することができるコンテンツ格納装置およびコンテンツ転送システムを提供する。【解決手段】コンテンツ記録部１０５に格納されたコンテンツデータをサーバ等の複雑な機器を要することなく他の機器に転送して空き容量を形成することができる。コンテンツデータの操作については転送先の空き容量や空き容量の不足等による他の機器へのコンテンツデータの転送をユーザが設定しなくとも、ネットワークを介して接続されたコンテンツ記憶部を有効利用して格納することから、突発的にコンテンツ記録部１０５に空き容量を設ける必要が生じてもユーザに面倒な操作を要求することがない。【選択図】図１
2007156563.tif 000002
【特許請求の範囲】
【請求項１】
コンテンツデータを格納する記憶部と、
外部の端末との間で前記コンテンツデータの送受信を行う通信部と、
前記通信部を介して送受信される前記コンテンツデータの転送要求受信時のデータ量に基づいて前記コンテンツデータの格納あるいは前記外部の端末への転送を実行させるコンテンツ転送制御部とを有することを特徴とするコンテンツ格納装置。
【請求項２】
前記コンテンツ転送制御部は、前記コンテンツデータの転送要求受信時に前記記憶部に空き容量があるとき、前記外部の端末から送信される前記コンテンツデータを前記記憶部に格納させる請求項１に記載のコンテンツ格納装置。
【請求項３】
前記コンテンツ転送制御部は、前記コンテンツデータの転送要求受信時に前記記憶部に空き容量がないとき、前記外部の端末から送信される前記コンテンツデータを前記記憶部に空き容量を有した他の前記外部の端末に転送する請求項１に記載のコンテンツ格納装置。
【請求項４】
コンテンツデータを格納する第１の記憶部と、前記コンテンツデータの他の端末の記憶部への転送を制御するコンテンツ転送制御部とを有する第１の端末と、
前記コンテンツデータを格納可能な第２の記憶部と、前記コンテンツデータの他の端末の記憶部への転送を制御するコンテンツ転送制御部とを有する第２の端末と、
前記コンテンツデータを格納可能な第３の記憶部と、前記コンテンツデータの他の端末の記憶部への転送を制御するコンテンツ転送制御部とを有する第３の端末とを有し、
前記第２の端末は、前記第１の端末から前記第１の記憶部に格納された前記コンテンツデータの転送要求受信時に前記第２の記憶部に空き容量があるとき、前記第１の記憶部から送信される前記コンテンツデータを前記第２の記憶部に格納し、前記第２の記憶部に空き容量がないときは前記第２の端末と通信可能な前記第３の端末に対して前記第３の記憶部の空き容量を確認し、前記第３の記憶部に空き容量があるとき前記第１の記憶部に格納された前記コンテンツデータを前記第３の端末に転送することを特徴とするコンテンツ転送システム。
【請求項５】
コンテンツデータを格納する第１の記憶部と、前記コンテンツデータの他の端末の記憶部への転送を制御するコンテンツ転送制御部とを有する第１の端末と、
前記コンテンツデータを格納可能な第２の記憶部と、前記コンテンツデータの他の端末の記憶部への転送を制御するコンテンツ転送制御部とを有する第２の端末と、
前記コンテンツデータを格納可能な第３の記憶部と、前記コンテンツデータの他の端末の記憶部への転送を制御するコンテンツ転送制御部とを有する第３の端末とを有し、
前記第２の端末は、前記第１の端末から前記第１の記憶部に格納された前記コンテンツデータの転送要求受信時に前記第２の記憶部に前記コンテンツデータの一部を格納できる空き容量があるとき、前記第１の記憶部から送信される前記コンテンツデータの一部を前記第２の記憶部に格納し、前記第２の記憶部で格納できない前記コンテンツデータを前記第３の端末に転送することを特徴とするコンテンツ転送システム。
【発明の詳細な説明】
【技術分野】
【０００１】
本発明は、コンテンツ格納装置およびコンテンツ転送システムに関し、特に、ネットワークを介して接続されたコンテンツ格納装置の記憶部を有効活用することのできるコンテンツ格納装置およびコンテンツ転送システムに関する。
【背景技術】
【０００２】
近年、パーソナルコンピュータ（ＰＣ）や、ＤＶＤ（Digital Versatile Disk）ドライブおよびハードディスクドライブ（ＨＤＤ）を搭載した録画装置の高機能化が進んでおり、さらにこれらの機器をネットワークを介して接続し、音声や画像からなるコンテンツデータを共有してテレビやＰＣで観賞できるホームネットワークが提案されている。このような構成によれば、例えば、ある部屋に設置された録画装置で再生されたコンテンツをホームネットワークを介して他の部屋に設けられるネットワークテレビジョン等で観賞することができる。
【０００３】
また、最近ではホームネットワークでのデータ共有化を図るものとして、ネットワーク内に大容量のＨＤＤを有した記憶装置を設け、ネットワークに接続される機器から記憶装置のＨＤＤに対してデータの書き込みや読み出しが行えるサーバとして使用するものが提案されている。サーバを介したデータの転送を行うものとして、ネットワークに接続された発信装置と着信装置に対し、転送するファイル（データ）を格納する中継装置（サーバ）を介して発信装置から着信装置への転送を行うものがある（例えば、特許文献１参照。）。
【特許文献１】特開２００２−１３２６１５号公報（図２）
【発明の開示】
【発明が解決しようとする課題】
【０００４】
しかし、特許文献１に記載された発明によると、ネットワークを介したデータの転送にサーバを設ける必要があるため、例えば、家庭内等の小規模なネットワークでは構成が大掛かりとなるばかりでなく、サーバの保守管理等の手間も発生し、一般的なユーザにとって煩雑である。また、サーバの停電や予期せぬ不具合が生じるとデータの転送が不可能になり、利便性が損なわれるという問題もある。
【０００５】
従って、本発明の目的は、独立したサーバを構築することなく、ネットワークを介して接続されたコンテンツ格納装置の記憶部を有効活用することのできるコンテンツ格納装置およびコンテンツ転送システムを提供することにある。
【課題を解決するための手段】
【０００６】
本発明は、上記の目的を達成するため、コンテンツデータを格納する記憶部と、外部の端末との間で前記コンテンツデータの送受信を行う通信部と、前記通信部を介して送受信される前記コンテンツデータの転送要求受信時のデータ量に基づいて前記コンテンツデータの格納あるいは前記外部の端末への転送を実行させるコンテンツ転送制御部とを有することを特徴とするコンテンツ格納装置を提供する。
【０００７】
また、本発明は、上記の目的を達成するため、コンテンツデータを格納する第１の記憶部と、前記コンテンツデータの他の端末の記憶部への転送を制御するコンテンツ転送制御部とを有する第１の端末と、前記コンテンツデータを格納可能な第２の記憶部と、前記コンテンツデータの他の端末の記憶部への転送を制御するコンテンツ転送制御部とを有する第２の端末と、前記コンテンツデータを格納可能な第３の記憶部と、前記コンテンツデータの他の端末の記憶部への転送を制御するコンテンツ転送制御部とを有する第３の端末とを有し、前記第２の端末は、前記第１の端末から前記第１の記憶部に格納された前記コンテンツデータの転送要求受信時に前記第２の記憶部に空き容量があるとき、前記第１の記憶部から送信される前記コンテンツデータを前記第２の記憶部に格納し、前記第２の記憶部に空き容量がないときは前記第２の端末と通信可能な前記第３の端末に対して前記第３の記憶部の空き容量を確認し、前記第３の記憶部に空き容量があるとき前記第１の記憶部に格納された前記コンテンツデータを前記第３の端末に転送するコンテンツ転送システムを提供する。
【０００８】
また、本発明は、上記の目的を達成するため、コンテンツデータを格納する第１の記憶部と、前記コンテンツデータの他の端末の記憶部への転送を制御するコンテンツ転送制御部とを有する第１の端末と、前記コンテンツデータを格納可能な第２の記憶部と、前記コンテンツデータの他の端末の記憶部への転送を制御するコンテンツ転送制御部とを有する第２の端末と、前記コンテンツデータを格納可能な第３の記憶部と、前記コンテンツデータの他の端末の記憶部への転送を制御するコンテンツ転送制御部とを有する第３の端末とを有し、前記第２の端末は、前記第１の端末から前記第１の記憶部に格納された前記コンテンツデータの転送要求受信時に前記第２の記憶部に前記コンテンツデータの一部を格納できる空き容量があるとき、前記第１の記憶部から送信される前記コンテンツデータの一部を前記第２の記憶部に格納し、前記第２の記憶部で格納できない前記コンテンツデータを前記第３の端末に転送するコンテンツ転送システムを提供する。
【発明の効果】
【０００９】
本発明によれば、独立したサーバを構築することなく、ネットワークを介して接続されたコンテンツ格納装置の記憶部を有効活用することができる。
【発明を実施するための最良の形態】
【００１０】
（実施の形態）
図１は、本発明の実施の形態に係るコンテンツ転送システムを示し、（ａ）はシステム全体を示す概略構成図、（ｂ）はコンテンツを格納する記憶部を有する端末としての録画装置を概略的に示す機能ブロック図である。図２はＰＣ装置を概略的に示す機能ブロック図である。
【００１１】
（コンテンツ転送システムの構成）
このコンテンツ転送システム１は、図１（ａ）に示すように録画装置１０と、ＴＶ装置１１と、録画装置２０と、ＴＶ装置２１と、ＰＣ装置３００と、集線装置４０によって構成されている。録画装置１０はＴＶ装置１１と接続されており、録画装置２０はＴＶ装置２１と接続されている。また、録画装置１０，２０は、ツイストペアケーブル等の通信ケーブル４１を介して集線装置４０に接続されている。また、ＰＣ装置３００は、記憶部、制御部、および電源部等の電子機器を収容したＰＣ本体３０と、ＰＣ本体３０から出力される画像信号に基づいて画像を表示するディスプレイ３１と、文字等の入力デバイスとしてのキーボード３２及びマウス３３とを有し、ＰＣ本体３０が通信ケーブル４１を介して集線装置４０に接続されている。
【００１２】
録画装置１０，２０は、図１（ｂ）に示すように、本体正面等に設けられるスイッチ類等のユーザ操作入力部１００と、動作状態や入力操作に応じた表示を行う情報表示部１０１と、ビデオテープやＤＶＤディスク等のリムーバブルメディアにコンテンツデータを記録する記録デバイスとしてのコンテンツ供給部１０２と、図示しない通信ケーブルを介してネットワークと接続されてコンテンツデータをネットワークを介して送信する送信部１０３Ａと、ネットワークを介してコンテンツデータを受信する受信部１０３Ｂとを含むネットワーク通信部１０３と、録画装置１０，２０の動作に必要なファームウエア等のプログラムや制御パラメータ等のデータを格納する主記憶部１０４と、コンテンツデータを格納するコンテンツ記録部１０５と、録画装置１０，２０におけるコンテンツデータの格納および転送を制御するコンテンツ転送制御部１０６Ａを有し、全体的な動作を制御する制御部１０６とを有する。
【００１３】
コンテンツデータは、衛星放送やケーブルテレビネットワークによって伝送される番組をユーザ側の操作に基づいて録画した録画データ、ＤＶＤに記録されたビデオデータであるが、他のデータであっても良い。
【００１４】
この録画装置１０，２０は、図示しない構成として、ネットワークを介してデータを送受信するための通信プロトコルに基づいてコンテンツデータおよび通信に必要なデータを送受信できるネットワークインターフェースを有し、固有のＩＰ（Internet Protocol）アドレスを有している。本実施の形態では、通信プロトコルとしてＴＣＰ／ＩＰに基づくコンテンツデータの送受信を行う。また、コンテンツデータを受信するチューナー部と、コンテンツデータの録画を行う録画部とを有している。
【００１５】
ＰＣ装置３００は、図２に示すように、マウスやキーボード等のユーザ操作入力部３０１と、ディスプレイ３１と、ビデオテープやＤＶＤディスク等のリムーバブルメディアにコンテンツデータを記録する記録デバイスとしてのＣＤ／ＤＶＤドライブ３４と、図示しない通信ケーブルを介してネットワークと接続されてコンテンツデータをネットワークを介して送信する送信部３５Ａと、ネットワークを介してコンテンツデータを受信する受信部３５Ｂとを含むネットワーク通信部３５と、ＰＣ装置３００の動作に必要なファームウエア等のプログラムや制御パラメータ等のデータを格納する主記憶部３６と、コンテンツデータを格納するコンテンツ記録部３７と、ＰＣ装置３００におけるコンテンツデータの格納および転送を制御するコンテンツ転送制御部３８Ａを有し、全体的な動作を制御する制御部３８とを有する。ここで、主記憶部３６およびコンテンツ記録部３７は、図１に示すＰＣ本体３０に内蔵される図示しないＨＤＤに設けられる。
【００１６】
このＰＣ装置３００は、録画装置１０，２０と同様に、ネットワークを介してデータを送受信するための通信プロトコルに基づいてコンテンツデータおよび通信に必要なデータを送受信できる図示しないネットワークインターフェースを有し、固有のＩＰ（Internet Protocol）アドレスを有している。
【００１７】
（コンテンツ転送システムの動作の概要）
図３は、本実施の形態のコンテンツ転送システムの転送処理を概略的に示すフローチャートである。以下の説明では、図１に示す録画装置２０でテレビ放送の録画を行うにあたり、コンテンツ記録部１０５の記録容量が不足してテレビ放送を収録できないことから、既にコンテンツ記録部１０５に記録されているコンテンツデータを通信ケーブル４１で接続された他の機器に転送する場合について説明する。
【００１８】
ここで、ユーザがコンテンツデータを転送する転送先として録画装置１０を選択するものとする。ユーザは、まずユーザ操作入力部１００を操作してコンテンツ記録部１０５に記録されたコンテンツデータの一覧をＴＶ装置２１に表示させる。次に、コンテンツデータの一覧から転送するコンテンツデータを選択し、コンテンツデータの転送先として録画装置２０が把握している録画装置１０を指定する。
【００１９】
次に、録画装置２０は、選択されたコンテンツデータの転送要求を録画装置１０に転送する（Ｓ１）。このときの転送要求にはコンテンツデータの内容とデータ量が含まれている。録画装置１０はネットワークを介して送信された転送要求を受信する（Ｓ２）。ここで、録画装置１０が待機状態であり、かつ、予約録画等の予定がない場合には、転送要求の入力によって稼動状態になるようにしても良い。
【００２０】
次に、録画装置１０において、コンテンツ転送制御部１０６Ａはコンテンツデータのデータ量がコンテンツ記録部１０５に記録可能な容量か否かの確認処理を実行する。ここで、予約録画等のスケジュールとの干渉がなく、かつ、記録容量に余裕があって受け入れ可能と判断された場合には（Ｓ３：ＹＥＳ）、録画装置２０からコンテンツデータの転送を受け入れてコンテンツ記録部１０５に格納する（Ｓ４）。コンテンツが全て正常に転送されると録画装置１０は録画装置２０に受信完了を通知する（Ｓ５：ＹＥＳ）。
【００２１】
一方、録画装置１０側では、録画予約や、転送要求で通知されたコンテンツデータのデータ量に対して記録容量が不足していて受け入れができない場合も考えられる（Ｓ３：ＮＯ）。この場合、転送要求を受けた録画装置１０は、ネットワークを介して通信可能なＰＣ装置３００に転送要求を送信する（Ｓ６）。
【００２２】
ここでＰＣ装置３００に送信される転送要求の内容として、録画装置２０から録画装置１０に送信された送信内容をそのまま送信する場合と、録画装置１０のコンテンツ記録部１０５に格納可能なデータ量を差し引いた残りのコンテンツデータのデータ量とその内容とを送信する場合とがある。
【００２３】
ＰＣ装置３００は、録画装置１０からネットワークを介して送信された転送要求を受信し（Ｓ７）、図２に示すコンテンツ転送制御部３８Ａでコンテンツデータの受け入れ可能と判断した場合には（Ｓ８：ＹＥＳ）、録画装置２０からのコンテンツデータの転送を受け入れてコンテンツ記録部１０５に格納する（Ｓ９）。コンテンツが全て正常に転送されるとＰＣ装置３００は録画装置１０に受信完了を通知する。
【００２４】
録画装置１０は、ＰＣ装置３００からの受信完了通知を受信すると、録画装置１０への送信元である録画装置２０に受信完了を通知する。
【００２５】
一方、ＰＣ装置３００でもコンテンツデータの受け入れが不可能であり、かつ、ＰＣ装置３００から転送要求を送信できる他の端末との接続がない場合には、録画装置２０でエラー処理が実行される。
【００２６】
このように、録画装置２０に蓄積されているコンテンツデータの録画装置１０への転送が困難であったとしても、ネットワークを介して録画装置１０と通信可能なＰＣ装置３００への転送を確立させることで、録画装置２０のコンテンツ記録部１０５に十分な空き容量が設けられる。この場合、録画装置２０からＰＣ装置３００が直接認識できない不可視の状態であってもこれらが物理的に接続されていて、かつ介在する端末間で通信が確立しうる関係にあれば良い。空き容量の設け方としては、全コンテンツデータの転送のほか、例えば、タイトル毎に部分的にコンテンツを転送することで行っても良い。
【００２７】
以下に、コンテンツデータの送受信に係る動作について転送形態毎に具体的に説明する。
【００２８】
（コンテンツデータの第１の転送形態）
図４は、コンテンツデータの第１の転送形態を示すタイミングチャートである。この第１の転送形態は、録画装置２０と通信可能な録画装置１０に対し、録画装置２０から送信された転送要求に基づいてコンテンツデータが転送されるものである。
【００２９】
まず、録画装置２０でユーザ操作入力部１００の操作によりコンテンツ記録部１０５に格納されているすべてのコンテンツデータと、転送先である録画装置１０が選択される。コンテンツ転送制御部１０６Ａは、転送要求データとしてコンテンツデータの内容（データの属性情報を含む）とデータ量、そして転送元である自らの機器情報（ＩＰアドレス、機種名、ニックネーム等）を録画装置１０のＩＰアドレスに送信する（Ｓ２１）。
【００３０】
録画装置１０は、録画装置２０の転送要求をネットワークを介して受信すると（Ｓ２２）、転送要求に含まれるコンテンツデータのデータ量がコンテンツ記録部１０５の空き容量より大であるか否かがコンテンツ転送制御部１０６Ａによって確認される（Ｓ２３）。コンテンツ転送制御部１０６Ａは、転送要求のあったコンテンツデータが属性情報に基づいて録画装置１０で再生不可のデータであっても空き容量があれば格納可能と判断する。
【００３１】
ここで、録画装置１０ではコンテンツ記録部１０５に十分な空き容量があるので、コンテンツ転送制御部１０６Ａはコンテンツデータの格納が可能であると判断し（Ｓ２４）、録画装置２０に転送許可を送信する（Ｓ２５）。
【００３２】
録画装置２０は、転送許可を受信すると（Ｓ２６）、コンテンツ転送制御部１０６Ａによって転送すべきコンテンツデータをコンテンツ記録部１０５から読み出す。ネットワーク通信部１０３の送信部１０３Ａは、録画装置１０に設けられるネットワーク通信部１０３の受信部１０３ＢとＴＣＰ／ＩＰに基づく通信プロトコルを確立し、所定のタイミングでコンテンツデータを録画装置１０に転送する（Ｓ２７）。
【００３３】
録画装置１０において、転送されたコンテンツデータを全て受信し（Ｓ２８）、コンテンツ記録部１０５に正常に格納動作が行われたことが確認されると（Ｓ２９）、コンテンツ転送制御部１０６Ａは送信部１０３Ａに録画装置２０に対して受信完了通知を送信させる（Ｓ３０）。録画装置２０は受信部１０３Ｂで受信完了通知を受信すると、コンテンツデータの転送処理を終了する（Ｓ３１）。
【００３４】
なお、録画装置２０で全てのコンテンツデータを選択して転送するものとしたが、ユーザ操作により一部のコンテンツデータを転送するものとしても良い。
【００３５】
（コンテンツデータの第２の転送形態）
図５は、コンテンツデータの第２の転送形態を示すタイミングチャートである。この第２の転送形態は、録画装置２０から録画装置１０に転送要求を送信したところ録画装置１０でのコンテンツデータの格納が不可であるが、その代わりのコンテンツ記録部１０５として録画装置１０と通信可能なＰＣ装置３００に転送要求に基づいてコンテンツデータが転送されるものである。
【００３６】
まず、第１の転送形態と同様に録画装置２０でユーザ操作入力部１００の操作によりコンテンツ記録部１０５に格納されているすべてのコンテンツデータと、転送先である録画装置１０が選択される。コンテンツ転送制御部１０６Ａは、転送要求データとしてコンテンツデータの内容（データの属性情報を含む）とデータ量、そして転送元である自らの機器情報（ＩＰアドレス、機種名、ニックネーム等）を録画装置１０のＩＰアドレスに送信する（Ｓ４１）。
【００３７】
録画装置１０は、録画装置２０の転送要求をネットワークを介して受信すると（Ｓ４２）、転送要求に含まれるコンテンツデータのデータ量がコンテンツ記録部１０５の空き容量より大であるか否かがコンテンツ転送制御部１０６Ａによって確認される（Ｓ４３）。
【００３８】
ここで、録画装置１０ではコンテンツ記録部１０５に十分な空き容量がないことから、コンテンツ転送制御部１０６Ａはコンテンツデータの格納が不可能であると判断し（Ｓ４４）、ＰＣ装置３００に転送許可を送信する（Ｓ４５）。
【００３９】
ＰＣ装置３００は、転送許可を受信すると（Ｓ４６）、転送要求に含まれるコンテンツデータのデータ量がコンテンツ記録部３７の空き容量より大であるか否かがコンテンツ転送制御部３８Ａによって確認される（Ｓ４７）。
【００４０】
ここで、ＰＣ装置３００ではコンテンツ記録部３７に十分な空き容量があるので、コンテンツ転送制御部３８Ａはコンテンツデータの格納が可能であると判断し、録画装置１０に転送許可を送信する（Ｓ４８）。
【００４１】
録画装置１０は、転送許可を受信すると（Ｓ４９）、この転送許可に基づいて録画装置２０に転送許可を送信する（Ｓ５０）。
【００４２】
録画装置２０は、転送許可を受信すると（Ｓ５１）、コンテンツ転送制御部１０６Ａによって転送すべきコンテンツデータをコンテンツ記録部１０５から読み出す。ネットワーク通信部１０３の送信部１０３Ａは、録画装置１０に設けられるネットワーク通信部１０３の受信部１０３ＢとＴＣＰ／ＩＰに基づく通信プロトコルを確立し、所定のタイミングでコンテンツデータを録画装置１０に転送する（Ｓ５２）。
【００４３】
録画装置１０は、転送されたコンテンツデータをネットワーク通信部１０３の送信部１０３Ａを介してＰＣ装置３００に転送中継する（Ｓ５３）。
【００４４】
ＰＣ装置３００において、録画装置１０から転送中継されたコンテンツデータを全て受信し（Ｓ５４）、コンテンツ記録部３７に正常に格納動作が行われたことが確認されると（Ｓ５５）、コンテンツ転送制御部３８Ａは送信部３５Ａに録画装置２０に対して受信完了通知を送信させる（Ｓ５６）。
【００４５】
録画装置１０は受信部１０３ＢでＰＣ装置３００からの受信完了通知を受信すると（Ｓ５７）、この受信完了通知を録画装置２０に転送する（Ｓ５８）。録画装置２０は受信部１０３Ｂで録画装置１０から受信完了通知を受信すると、コンテンツデータの転送処理を終了する（Ｓ５９）。
【００４６】
（コンテンツデータの第３の転送形態）
図６は、コンテンツデータの第３の転送形態を示すタイミングチャートである。この第３の転送形態は、録画装置２０から録画装置１０に転送要求を送信したところ録画装置１０ではコンテンツ記録部１０５にコンテンツデータをすべて格納するだけの空き容量がないので一部を格納し、残りを録画装置１０と通信可能なＰＣ装置３００に転送して格納するものである。
【００４７】
まず、第１の転送形態と同様に録画装置２０でユーザ操作入力部１００の操作によりコンテンツ記録部１０５に格納されているすべてのコンテンツデータと、転送先である録画装置１０が選択される。コンテンツ転送制御部１０６Ａは、転送要求データとしてコンテンツデータの内容（データの属性情報を含む）とデータ量、そして転送元である自らの機器情報（ＩＰアドレス、機種名、ニックネーム等）を録画装置１０のＩＰアドレスに送信する（Ｓ６１）。
【００４８】
録画装置１０は、録画装置２０の転送要求をネットワークを介して受信すると（Ｓ６２）、転送要求に含まれるコンテンツデータのデータ量がコンテンツ記録部１０５の空き容量より大であるか否かがコンテンツ転送制御部１０６Ａによって確認される（Ｓ６３）。
【００４９】
ここで、録画装置１０ではコンテンツ記録部１０５に十分な空き容量がないものの、一部のコンテンツデータを格納できることから（Ｓ６４）、コンテンツ転送制御部１０６Ａはコンテンツ記録部１０５で格納できるデータ量を差し引いたコンテンツデータについてＰＣ装置３００に転送許可を送信する（Ｓ６５）。
【００５０】
ＰＣ装置３００は、転送許可を受信すると（Ｓ６６）、転送要求に含まれるコンテンツデータのデータ量がコンテンツ記録部３７の空き容量より大であるか否かがコンテンツ転送制御部３８Ａによって確認される（Ｓ６７）。
【００５１】
ここで、ＰＣ装置３００ではコンテンツ記録部３７に十分な空き容量があるので、コンテンツ転送制御部３８Ａはコンテンツデータの格納が可能であると判断し（Ｓ６８）、録画装置１０に転送許可を送信する（Ｓ６９）。
【００５２】
録画装置１０は、転送許可を受信すると（Ｓ７０）、この転送許可に基づいて録画装置２０に転送許可を送信する（Ｓ７１）。
【００５３】
録画装置２０は、転送許可を受信すると（Ｓ７２）、コンテンツ転送制御部１０６Ａによって転送すべきコンテンツデータをコンテンツ記録部１０５から読み出す。ネットワーク通信部１０３の送信部１０３Ａは、録画装置１０に設けられるネットワーク通信部１０３の受信部１０３ＢとＴＣＰ／ＩＰに基づく通信プロトコルを確立し、所定のタイミングでコンテンツデータを録画装置１０に転送する（Ｓ７３）。
【００５４】
録画装置１０は、転送されたコンテンツデータの一部をコンテンツ記録部１０５に格納し（Ｓ７４）、残りのコンテンツデータをネットワーク通信部１０３の送信部１０３Ａを介してＰＣ装置３００に転送中継する（Ｓ７５）。
【００５５】
ＰＣ装置３００は、録画装置１０から転送中継された残りのコンテンツデータを全て受信し（Ｓ７６）、コンテンツ記録部３７に正常に格納動作が行われたことが確認されると（Ｓ７７）、コンテンツ転送制御部３８Ａは送信部３５Ａに受信完了通知を送信させる（Ｓ７８）。
【００５６】
録画装置１０は、受信部１０３ＢでＰＣ装置３００からの受信完了通知を受信すると（Ｓ７９）、この受信完了通知を録画装置２０に転送する（Ｓ８０）。録画装置２０は受信部１０３Ｂで録画装置１０から受信完了通知を受信すると、コンテンツデータの転送処理を終了する（Ｓ８１）。
【００５７】
（本実施の形態の効果）
上記した本実施の形態によると、コンテンツ記録部１０５に格納されたコンテンツデータをサーバ等の複雑な機器を要することなく他の機器に転送して空き容量を形成することができる。コンテンツデータの操作については転送先の空き容量や空き容量の不足等による他の機器へのコンテンツデータの転送をユーザが設定しなくとも、ネットワークを介して接続されたコンテンツ記憶部を有効利用して格納することから、突発的にコンテンツ記録部１０５に空き容量を設ける必要が生じてもユーザに面倒な操作を要求することがない。
【００５８】
また、コンテンツ記録部を有した機器が互いに全てを認識していなくても、転送要求を受けた機器から通信可能な機器が接続されていれば良いことから、ホームネットワーク等における煩雑な設定を要することなしにコンテンツデータの格納、転送性が得られる。
【００５９】
本実施の形態では、録画装置１０，２０、およびＰＣ装置３００の接続されたホームネットワークを説明したが、機器の台数および種類については限定されない、つまり、ネットワークを介してコンテンツデータの授受を行えるＨＤＤや、半導体メモリ等の記憶部を備えた電子機器であれば良い。また、ネットワークの接続形態についてもケーブル接続に限定されず、無線ＬＡＮ（Local Area Network）や、無線ＬＡＮとケーブル接続の混在した環境であっても良い。
【００６０】
なお、本発明は、上記した実施の形態に限定されず、本発明の技術思想を逸脱あるいは変更しない範囲内で種々な組み合わせ、変形が可能である。
【図面の簡単な説明】
【００６１】
【図１】本発明の実施の形態に係るコンテンツ転送システムを示し、（ａ）はシステム全体を示す概略構成図、（ｂ）はコンテンツを格納する記憶部を有する端末としての録画装置を概略的に示す機能ブロック図である。
【図２】本発明の実施の形態に係るＰＣ装置を概略的に示す機能ブロック図である。
【図３】本発明の実施の形態のコンテンツ転送システムの転送処理を概略的に示すフローチャートである。
【図４】本発明の実施の形態に係るコンテンツデータの第１の転送形態を示すタイミングチャートである。
【図５】本発明の実施の形態に係るコンテンツデータの第２の転送形態を示すタイミングチャートである。
【図６】本発明の実施の形態に係るコンテンツデータの第３の転送形態を示すタイミングチャートである。
【符号の説明】
【００６２】
１…コンテンツ転送システム  １０，２０…録画装置  １１…ＴＶ装置  ２１…ＴＶ装置  ３０…ＰＣ本体  ３１…ディスプレイ  ３２…キーボード  ３３…マウス  ３４…ＣＤ／ＤＶＤドライブ  ３５…ネットワーク通信部  ３５Ａ…送信部  ３５Ｂ…受信部  ３６…制御部  ３７…コンテンツ記録部  ３８Ａ…コンテンツ転送制御部  ４０…集線装置  ４１…通信ケーブル  １００…ユーザ操作入力部  １０１…情報表示部  １０２…コンテンツ供給部  １０３…ネットワーク通信部  １０３Ａ…送信部  １０３Ｂ…受信部  １０４…主記憶部  １０５…コンテンツ記録部  １０６…制御部  １０６Ａ…コンテンツ転送制御部  ３００…ＰＣ装置  ３０１…ユーザ操作入力部
【図１】
2007156563.tif 000003
【図２】
2007156563.tif 000004
【図３】
2007156563.tif 000005
【図４】
2007156563.tif 000006
【図５】
2007156563.tif 000007
【図６】
2007156563.tif 000008